(57)【要約】  本発明は、移動体データ通信によって、緊急事態などをデータベースに報告するための方法に関し、警告ボタンを備えた移動体電話が使用される。移動体電話上の警告ボタンを作動させた後で、写真、ビデオ、音声、位置ＩＤなどのデータが記録されて、データベースに送信される。次いで、その場所によって前記データはアクセスされて、その評価に応じて、少なくとも１つの対応する支援サービス、特に、警察、警備機関、救急車などが動員される。それにより、潜在的な危険が報告され、データがデータベースにおいて少なくとも一時的に登録される、連絡ボタンとして追加のボタンが選択され得る。危険が高まった場合、警告ボタンが作動されて、その後、支援サービスが動員される。【特許請求の範囲】
【請求項１】
移動体データ通信によって緊急事態をデータベースに報告することであって、移動体電話には警告ボタンが備えられており、その警告ボタンが作動させられると、写真、フィルム、音声、位置ＩＤなどのデータが記録されて、前記データベースに転送され、それの場所からアクセスされ、その評価に応じて、少なくとも１つの対応する支援サービス、特に、警察、警備機関、救急車などが動員可能にした、移動体データ通信によって緊急事態をデータベースに報告する方法において、
追加のボタンが、潜在的な危険の報告の連絡ボタンとして選択可能であり、前記データベースにおいて前記データが少なくとも一時的に登録され、
前記危険が高まった場合に、前記警告ボタンが作動されると、前記支援サービスが動員されることが可能である
ことを特徴とする方法。
【請求項２】
前記潜在的な危険または警告を前記報告することが、前記データベースの場所によって任意の措置が講じられる前に、正確なパスワードを提示することによって、特定の時間間隔内に取り消されることが可能であることを特徴とする、請求項１に記載の方法。
【請求項３】
緊急の脅威および結果として生じる警告信号を用いて、前記着信データを審査している前記場所が、前記移動体電話に速やかに電話をかけなおすことを特徴とする、請求項１に記載の方法。
【請求項４】
第三者にとって脅威的な事態の観察が、前記移動体電話のユーザがこの報告のさらなる処理に関与せずに、前記データベースに報告されることを特徴とする、請求項１または２に記載の方法。
【請求項５】
前記移動体電話のユーザの位置が、前記警告ボタンもしくは前記連絡ボタンのトリガ時に、または前記移動体電話に内蔵されたナビゲーション・システムによって発見された前記位置付近の移動体アンテナによって検出され、内蔵ナビゲーション・システムを備えた前記移動体電話が、前記警告ボタンもしくは前記連絡ボタンを作動させるとすぐに前記位置を自動的に確立し、これが前記位置に送信されることを特徴とする、請求項１に記載の方法。
【請求項６】
前記警告ボタンを作動させた後で、選択するための異なる警告オプション、連絡オプション、および観察オプションが前記移動体電話のディスプレイ上に提供されることを特徴とする、請求項１から４のいずれかに記載の方法。
【請求項７】
前記警告ボタンを作動させることに続いて、前記オプションのうちの１つを選択しないことが、結果として、前記データベースの場所に措置を講じさせることを特徴とする、請求項５に記載の方法。
【請求項８】
警告のトリガ時に、前記着信データを審査している前記場所と前記移動体電話との自動電話接続が確立されることを特徴とする、請求項１から７のいずれかに記載の方法。
【請求項９】
前記移動体電話上の前記警告ボタンが押された後で、ユーザに時間間隔の経過を気づかせる目的で、カウントダウンのタイプとして、音響信号が鳴ることを特徴とする、請求項２に記載の方法。
【発明の詳細な説明】
【技術分野】
【０００１】
本発明は、請求項１のプリアンブルに従った、移動体データ通信によって、緊急事態をデータベースに報告するための方法に関する。
【背景技術】
【０００２】
カメラと警告ボタンとを備えて、写真を事前に決定された警察または警備機関のメールアドレスに送信することが可能であり、音声信号の生成が可能であるよう構成された移動体電話を使用し、もって危険事態を報告することは、米国特許第７，０９１，８６６号から知られている。
【発明の概要】
【発明が解決しようとする課題】
【０００３】
本発明の基礎をなす目的は、初めに記したタイプの方法であって、緊急事態の深刻さをよりよく評価し得るようにしたもので、データベースの所在の場所で講じられる措置が、予防としても最適化され得るようにした、初めに記したタイプの方法にある。
【課題を解決するための手段】
【０００４】
この目標は、請求項１の特徴を有する方法によって、本発明に従って達成される。
【０００５】
本発明による方法の好ましいさらなる実施形態は、従属クレームの主題を形成する。
【０００６】
本発明による方法を用いると、緊急の脅威が警告をトリガし、写真、フィルム、音声、位置識別などが記録されて、データベースに送信されることが可能であるだけでなく、潜在的な危険に関して措置が取られることが可能であり、予防の意味で段階的拡大が回避され得る。
【発明を実施するための形態】
【０００７】
脅威的な事態において、移動体電話の警告ボタンが作動される。移動体電話がロックされたとき、この警告ボタンを作動させることも可能であるべきであり、電話がまずロック解除されなくてもよい。内蔵型のカメラによって、このアプリケーションは、脅威的な態度で行動している人物の１枚の写真、または一連の写真を撮る。１枚もしくは複数の写真の代わりに、フィルムまたはその他の特定の「特性」（例えば、脳波の画像）が対応するセンサを用いて記録されて、データとして供給されることも可能である。記録されたデータは、移動体データ通信（ＳＳ７チャネル、ＧＲＰＳ、ＵＭＴＳ、ＥＤＧＥなど）によって、移動体プロバイダを経由してデータベースに速やかに送信される。
【０００８】
本発明によれば、移動体電話ディスプレイは、少なくとも２つの、好ましくは３つのオプションの選択肢を提供する。これらは、例えば、「警告」、「連絡」、および「観察者」という用語によって識別され得る。
【０００９】
緊急の脅威の場合、「警告」オプションが選択される。移動体電話を経由して、警告は、かかる緊急呼出しを受信している場所によってアクセスおよび審査され、評価に続いて、少なくとも１つの支援サービスが提供され、このサービスは、場合によっては、警察、警備機関、救急車などである。
【００１０】
かかる場所は、例えば、警告が受信されて、移動体電話付近の移動体アンテナによって、移動体電話ユーザ（被害者）の位置が検出される警告制御ユニットであり得る。関係する人物は、警告制御ユニットによって速やかに呼び出される。当該人物が、その呼出しに応答できない場合、警察に警報が出され、例えば、発生場所が通知される。当該人物は、パスワードを指定することによって、またはパスワードを入力することによって、任意の時点で警告状態を解除することが可能である。
【００１１】
警告は、あるいは、着信データを審査している場所（警告制御ユニット）に対する移動体電話の自動電話接続および／またはビデオ電話接続によってトリガされることも可能である。
【００１２】
移動体電話上の警告ボタンを押した後で、当該人物にこの時間間隔の経過を気づかせる目的で、カウントダウンのタイプとして音響信号を吹鳴させることも可能である。
【００１３】
被害者が犯罪者によってパスワードを明かすことを強制されることを防ぐために、移動体電話のユーザと警告制御ユニットだけに知られている２つの異なるパスワードが提供される。１つは警告状態をリセットし、もう１つのパスワードは、脅威的な事態を確認し、これらについて犯罪者は知り得ない。脅威的な事態の確認は、結果として、警察に通報される。警告状態は、当初、警告ボタンを作動させた後で、移動体電話ユーザが特定の時間間隔内で３つのオプションのうちのいずれかを選択しない場合にも、自動的にトリガされる。
【００１４】
緊急の脅威は存在しないが、移動体電話ユーザが、危険な可能性がある事態に直面した場合、本発明によれば、「連絡」オプションが選択される。このオプションを用いると、警告制御ユニットによって直接的な警告はトリガされない。ユーザは、正確なパスワード（警告状態と同じ２つの同じパスワードが適用される）を提示することによって、特定の時間間隔（例えば、１分から５分）内で連絡状態をリセットしなければならない。これを怠った場合、警告がトリガされる。犯罪者の写真が撮られており、これが音声信号によってその犯罪者に知らされているということにもかかわらず、事態が思いがけなくより緊急になった場合、警告は、警告ボタンを再度押すことによって、任意の時点でトリガされ得る。
【００１５】
提供されることが好ましい第３の「観察者」オプションは、移動体電話ユーザが、脅威的な事態に直接的に関与しないが、観察者である場合、移動体電話ユーザによって選択されることが可能である。この場合、写真はやはりデータベースに送信されるが、警告はトリガされず、移動体電話ユーザは、何らのさらなる入力も行ってはならない。このオプションの要点は、一方で、積極的に関与することなく、第三者に脅威的な事態が段階的に拡大することを避け、他方で、これは犯罪を解明するための助けになり得ることである。
【００１６】
データ保護に関する理由から、移動体電話ユーザは、自らデータベースに送られた写真を観察またはダウンロードすることができない。しかし、写真は、警告制御センターから要求されることが可能である。
【００１７】
本発明による方法を用いると、犯罪を防ぐこと、または犯罪を解明することができるだけでなく、このようにして、交通事故、医療的な緊急事態、またはその他の緊急事態を報告することも可能である。適切な報告オプションを選択することによって、緊急事態の深刻さはよりよく評価されることが可能であり、データベース位置によって講じられる措置は最適化され得る。
【００１８】
移動体電話上の警告ボタンまたは連絡ボタンは、タッチスクリーンに触れることもしくはボタンを動かすこと、キーの押下を続けること、あるいはダブルクリックもしくは複数回のクリックなど、二回または複数回のキーの押下などを意味すると理解されることも可能である。
【００１９】
移動体電話内のマイクロフォンは、例えば、それによって、特に、音声が記録されることが可能であり、そこから、記録されたデータがデータベース位置に送られることが可能なセンサとして使用されることも可能である。
【００２０】
可能性がある犯罪者は、写真などによって現行犯で捕まることになることを知るため、用心して、予防的な意味で犯罪を控えることになることが、本発明の目的である。
【００２１】
かかる方法の流れにおいて、自ら危険状態にさらされると感じている人物は、危険な事態が実際に生じることになるかどうかがまだ分からないため、気づかれずに、故意に写真を撮ることが可能である。予防措置として、このタイプの証拠の記録を用いると、信号トーンは鳴らないことになる。
【国際調査報告】
2011516986.tif 000002
2011516986.tif 000003
2011516986.tif 000004
2011516986.tif 000005
2011516986.tif 000006
2011516986.tif 000007